(57)【要約】【課題】浴槽と周囲壁面との間に生じる間隙を塞ぐ浴槽目地において、目地が浮く、破損する、或いは壁面を傷付ける虞がない浴槽目地構造及び浴槽目地施工方法を提供する。【解決手段】浴槽の一辺が洗い場に面し残り三辺が壁面に対向するように配置された浴室内の、浴槽上部の垂下部及び上記壁面が当接する部分の間に生じる間隙を封止する浴槽目地構造において、上記隙間を水密に掩蔽する上面部と、該上面部から下方に垂設される縦片部と、該縦片部の下端が浴槽側に折曲され上記上面部と協働して上記垂下部を挟持する挟持部とを有し、上記浴槽の洗い場の背面側の一辺の上記垂下部に取設される背面目地材と、上記隙間を水密に掩蔽する上面部と、該上面部から下方に垂設される縦片部と、該縦片部の下端に設けられ上記垂下部の下端に係合可能に形成された係合部とを有し、前記浴槽の洗い場側の一辺と直交する二辺に、上記縦片部が上記隙間に嵌挿される側面目地材とを備える。【選択図】  図３
2007125159.tif 000002
【特許請求の範囲】
【請求項１】
側面上部が外方へ略水平に拡開するリム上面部とさらにその先端が下方へ折曲された垂下部とが形成された平面視略長方形の浴槽が、その一辺が洗い場に面し残り三辺が壁面に対向するように配置された浴室内の、上記垂下部及び上記壁面が当接する部分の間に生じる間隙を封止する浴槽目地構造において、
上記隙間を水密に掩蔽する上面部と、該上面部から下方に垂設される縦片部と、該縦片部の下端が浴槽側に折曲され上記上面部と協働して上記垂下部を挟持する挟持部とを有し、上記浴槽の洗い場の背面側の一辺の上記垂下部に取設される背面目地材と、
上記隙間を水密に掩蔽する上面部と、該上面部から下方に垂設される縦片部と、該縦片部の下端に設けられ上記垂下部の下端に係合可能に形成された係合部とを有し、前記浴槽の洗い場側の一辺と直交する二辺に、上記縦片部が上記隙間に嵌挿される側面目地材と、
を備えることを特徴とする浴槽目地構造。
【請求項２】
側面上部が外方へ略水平に拡開するリム上面部とさらにその先端が下方へ折曲された垂下部とが形成された平面視略長方形の浴槽が、その一辺が洗い場に面し残り三辺が壁面に対向するように配置された浴室内の、上記垂下部及び上記壁面が当接する部分の間に生じる間隙を封止する浴槽目地施工方法において、
上記隙間を水密に掩蔽する上面部と、該上面部から下方に垂設される縦片部と、該縦片部の下端が浴槽側に折曲され上記上面部と協働して上記垂下部を挟持する挟持部とを有する背面目地材を、上記浴槽が所定の位置に配置される前に、上記浴槽の洗い場の背面側の一辺の上記垂下部に取設し、
上記隙間を水密に掩蔽する上面部と、該上面部から下方に垂設される縦片部と、該縦片部の下端に設けられ上記垂下部の下端に係合可能に形成された係合部とを有する側面目地材を、上記浴槽が所定の位置に配置された後に、前記浴槽の洗い場側の一辺と直交する二辺に、上記縦片部を上記隙間に嵌挿する、
ことを特徴とする浴槽目地施工方法。
【発明の詳細な説明】
【技術分野】
【０００１】
本発明は、浴槽上部外縁に設けられた垂下部とこれと当接する周囲壁面との間に生じる間隙を塞ぐ浴槽目地構造及び浴槽目地施工方法に関するものである。
【背景技術】
【０００２】
一般家屋等で採用される浴槽は通常、その側面上部が外方へ略水平に拡開するリム上面部とさらにその先端が下方へ折曲された垂下部とを備える。そして、浴槽は、浴室内において、この垂下部の内、洗い場側に面する部分を除く三方が、浴室の壁面に当接するように据え付けられることが多い。
【０００３】
この垂下部端部と壁面との間には不可避的に隙間が生じ、これを放置すれば、この隙間から浴槽からの溢れ水や、シャワー使用時の飛散水等が、この隙間から浴槽裏面側に浸入して、壁面や防水パンを汚したり、一部の水が防水パン上に残ってしまうことがある。ところが、浴槽裏面側は、清掃用具が容易に届かず掃除がし難いため、この残存水は悪臭やカビの原因となって不衛生である。
【０００４】
従来、この隙間を、シリコン等のコーキング剤を充填して塞いでいたが、このコーキング作業は、養生テープの貼着等に時間がかかる、表面を美しく仕上げるには熟練を要する、充填後養生期間が必要、汚れやすい、カビが生え易い等種々の問題があった。さらに、浴槽を交換する際には、古いコ−キング剤を除去した後新しいコ−キング剤の充填施工を必要とする等の問題点もあった。
【０００５】
そこで、この問題点を解決するものとして、コーキング材に代えてエラストマー等から形成される化粧目地材が使用されるようになってきたが、この化粧目地材には、その取付方法により大別して、浴槽に目地を取り付けた後浴槽を所定位置に設置するもの（先付け目地：例えば、特許文献１，２参照。）と、浴槽を所定位置に設置後、壁面との隙間に目地を差し込むもの（後付け目地：例えば、特許文献３参照。）がある。
【０００６】
先付け目地は、浴槽に確実に取り付けられるものの、浴槽は多くの場合その長辺方向の長さが壁面間の距離一杯に設定されるので、浴槽は、その両側端すなわち浴槽短辺方向に取り付けられた目地材が壁面を擦りながら、所定の位置に設置されることになり、目地材が壁面を傷付ける、このとき目地材が浴槽から外れる、或いは破損する虞がある。
【０００７】
他方後付け目地は、浴槽設置時には、浴槽の長辺方向の長さはその目地幅分だけ壁面間の距離に対して余裕があることから、上述した後付け目地のような問題はないものの、浴槽と壁面との間に差し込む目地材が浮くという問題がある。すなわち、この目地材は通常、壁面と浴槽との間の隙間を水密に塞ぐ上面部と、上面部から下方に伸びこの隙間に挿入される差込部と、差込部の先端に浴槽リム上面部の下端部と係合する係合部を備えるものであるが、この係合部が、うまく垂下部下端部に係合しない、或いは係合しても、大量の湯及び入浴者という大きな荷重が、掛けられては除かれるということが繰り返されて浴槽が浮き沈みする間に、係合が外れて目地材が浮くという問題である。浴槽の短辺方向に取り付けられた目地材では、浴槽の洗い場側面を掩蔽するバスエプロンを取り外せば目視にて目地の浮きがあるかを確認し、補修することが可能であるが、洗い場と反対側の長辺方向では、見ることができず、補修することもできない。
【特許文献１】特開平１１−３３６２０８号公報
【特許文献２】特開２００１−３４９号公報
【特許文献３】特開２００２−２９１６４２号公報
【発明の開示】
【発明が解決しようとする課題】
【０００８】
本発明は、上述した事情を考慮してなされたもので、浴槽上部外周とこれと当接する周囲壁面との間に生じる間隙を塞ぐ浴槽目地構造及び浴槽目地施工方法であって、目地が浮く、破損する、或いは壁面を傷付ける虞がない浴槽目地構造及び浴槽目地施工方法を提供することを目的とするものである。
【課題を解決するための手段】
【０００９】
本発明に係る浴槽目地構造は、上述した課題を解決するために、請求項１に記載したように、側面上部が外方へ略水平に拡開するリム上面部とさらにその先端が下方へ折曲された垂下部とが形成された平面視略長方形の浴槽が、その一辺が洗い場に面し残り三辺が壁面に対向するように配置された浴室内の、上記垂下部及び上記壁面が当接する部分の間に生じる間隙を封止する浴槽目地構造において、上記隙間を水密に掩蔽する上面部と、該上面部から下方に垂設される縦片部と、該縦片部の下端が浴槽側に折曲され上記上面部と協働して上記垂下部を挟持する挟持部とを有し、上記浴槽の洗い場の背面側の一辺の上記垂下部に取設される背面目地材と、上記隙間を水密に掩蔽する上面部と、該上面部から下方に垂設される縦片部と、該縦片部の下端に設けられ上記垂下部の下端に係合可能に形成された係合部とを有し、前記浴槽の洗い場側の一辺と直交する二辺に、上記縦片部が上記隙間に嵌挿される側面目地材とを備えるものである。
【００１０】
他方、上述した課題を解決するために、請求項２に係る浴槽目地施工方法は、側面上部が外方へ略水平に拡開するリム上面部とさらにその先端が下方へ折曲された垂下部とが形成された平面視略長方形の浴槽が、その一辺が洗い場に面し残り三辺が壁面に対向するように配置された浴室内の、上記垂下部及び上記壁面が当接する部分の間に生じる間隙を封止する浴槽目地施工方法において、上記隙間を水密に掩蔽する上面部と、該上面部から下方に垂設される縦片部と、該縦片部の下端が浴槽側に折曲され上記上面部と協働して上記垂下部を挟持する挟持部とを有する背面目地材を、上記浴槽が所定の位置に配置される前に、上記浴槽の洗い場の背面側の一辺の上記垂下部に取設し、上記隙間を水密に掩蔽する上面部と、該上面部から下方に垂設される縦片部と、該縦片部の下端に設けられ上記垂下部の下端に係合可能に形成された係合部とを有する側面目地材を、上記浴槽が所定の位置に配置された後に、前記浴槽の洗い場側の一辺と直交する二辺に、上記縦片部を上記隙間に嵌挿するものである。
【発明の効果】
【００１１】
本発明に係る浴槽目地構造及び浴槽目地施工方法によれば、目地が浮く、破損する  或いは壁面を傷付ける虞をなくすことが可能となる。
【発明を実施するための最良の形態】
【００１２】
本発明に係る浴槽目地構造の実施の形態について、図を参照して説明する。図１は、本発明に係る浴槽目地構造を備えるユニットバス１の概要を示すものであり、ユニットバス１は、防水パン２と、浴槽３と、壁パネル４とを備える。
【００１３】
防水パン２は、樹脂材によって一体的に形成されており、同図に示すように、入浴者が洗髪・洗体を行う洗い場部２０と、浴槽３が設置される浴槽載置部２１が形成されていて、これらが上方への立ち上がりである土手部２２により仕切られ、その長さ方向中間部には、浴槽３及び洗い場２０からの排水を集めて外部へ排出する排水ピット６が設けられる。また、防水パン２の外縁には、壁パネル４が立設可能なように同一レベルの平面に形成された、壁パネル載置面２３が設けられる。
【００１４】
浴槽３は、図１に示すように、下部側の脚（図示せず）を介して、防水パン２の浴槽載置部２１上に設置される。この浴槽３は、平面視が略長方形であって、浴槽本体３０と、浴槽本体３０の側面上部から外方へ略水平に拡開するリム上面部３１と、さらにその先端が下方へ折曲された垂下部３２とから形成される。また、浴槽３の洗い場部２０の面する側には、防水パン２の土手部２２上方に、浴槽３の側方を掩蔽するエプロン１０が取り付けられている。
【００１５】
浴槽３のエプロン１０側を除く三方の垂下部３２と壁パネル４間に生じる隙間は、浴槽目地材１３により水密に掩蔽される。浴槽目地材１３は、ポリプロピレン、塩化ビニール、ＡＢＳ、又はエラストマー等の熱可塑性樹脂からなり、押出し成形方法によって成形されるが、この目地材は、エプロン１０が取り付けられる側面と反対側の側面に取設される背面目地材１４と、浴槽３のエプロン１０と直交する側面に取設される側面目地材１５とでは形状が異なる。
【００１６】
背面目地材１４は、その縦断面が、図２（ａ）に示すように、水平からやや傾斜した上面部１４ａと、上面部より下方に垂設される縦片部１４ｂと、縦片部１４ｂの下端が略直角に折曲された挟持部１４ｃとからなり、また、縦片部１４ｂの両面には、一対のヒレ部１４ｄが突設される。ここで、上面部１４ａ下端部から挟持部１４ｃ先端までの間隔は、垂下部３２の高さより小さく設定される。
【００１７】
他方、側面目地材１５は、その縦断面が、図２（ｂ）に示すように、水平からやや傾斜した上面部１５ａと、上面部より下方に垂設される縦片部１５ｂと、縦片部１５ｂの下端に突起形状に形成された係合部１５ｃとからなり、また、縦片部１５ｂの両面には、一対のヒレ部１５ｄが突設される。なお、本実施形態に係る縦片部１５ｂは、その高さ方向の途中で係合部１５ｃ側へ若干折曲されている。
【００１８】
なお、背面目地材１４及び側面地材１５は、目地全体を上記の硬質樹脂の他、硬度９０度程度の半硬質樹脂で形成することもでき、或いは、上面部１４ａ，１５ａと、ヒレ部１４ｃ，１５ｃのみエラストマー等の軟質素材で形成し他の部分は上記硬質樹脂で形成してこれらを組み合わせる等、硬度等の異なる複数の素材で成形してもよい。
【００１９】
図３（ａ）は、図１のＡ−Ａ断面図であり、背面目地材１４の取付状況を示している。同図中、バックハンガー９は、ステンレス鋼板等の板材を折曲して構成され、中央部が壁パネル４に当接するように壁パネル４側に凸状となるように形成された凸部９ａを備える。そして、この凸部９ａの上端からは、壁パネル４との間に上記垂下部３２が嵌挿可能な間隙を設けられる形状に折曲された垂下部受け部９ｂが延出される。
【００２０】
浴槽３は、壁パネル４の所定の位置・高さに取り付けられたバックハンガー９の垂下部受け部９ｂに、垂下部３２端部を嵌挿して据え付けられる。これにより、浴槽３ががたつくことなく浴槽載置部２１に固定されるとともに、垂下部３２と壁パネル４との間の間隙が一定以上大きくなることがないので、隙間の大きさにばらつきがなくなり、背面目地材１４の施工性が安定し、ひいては止水性が安定する。
【００２１】
また逆に壁パネル４も、浴槽３という剛体に結合されることにより、壁面を前後へ押したり引いたりする横方向の力に対して強度を増すことができる。このように、バックハンガー９を介して浴槽３と壁パネル４を結合することにより、それぞれの弱点が補われている。
【００２２】
背面目地材１４は、浴槽３が所定の位置に設置される前に、上面部１４ａから挟持部１４ｃまでの間隔を開いてその間に垂下部３２を嵌装させて浴槽３に取り付けられる。このとき背面目地材１４には、元の形状に戻ろうとする復元力が働き、上面部１４ａと挟持部１４ｃとが垂下部３２を挟持し容易に脱落することはない。また、背面目地材１４の浴槽固定に接着剤や両面テープ等を用いると、浴室搬入時の作業等で背面目地材１４を浴槽から外れるような状態になったとしても脱落することを防止することがより可能である。
【００２３】
そして、この状態で浴槽３が所定の位置に設置されると、上面部１４ａの上端が壁パネル４の表面に当接して、この間から水が浴槽裏面に漏れることはない。
【００２４】
また、一対のヒレ部１４ｄは、垂下部３２と壁パネル４との間で押圧されて変形して、それぞれ垂下部３２及び壁パネルに押しつけられる。したがって、背面目地材１４は、その上面部１４ａの他、ヒレ部１４ｄでも垂下部３２及び壁パネルと当接するので、摩擦力が増大し、浴槽３にかかる水や入浴者の体重といった荷重が、掛けられては除かれるということが繰り返されて浴槽３が浮き沈みすることがあっても、容易に外れることはない。
【００２５】
他方、側面目地材１５の取付状況は、図１のＢ−Ｂ断面である図３（ｂ）に示される。側面目地材１５は、背面目地材１４と異なって、浴槽３が所定の位置に設置された後に、その縦片部１５ｂを垂下部３２と壁パネル４との間の隙間に嵌挿することにより取設される。縦片部１５ｂ下端の係合部１５ｃは、嵌挿作業中垂下部３２と壁パネル４とに挟まれた状態では押圧されて変形するものの、垂下部３２の下端より下に突出すると変形から開放されてフック状に戻り、垂下部３２下端に係合する。
【００２６】
この係合部１５ｃが垂下部３２下端に係合することと、上述した背面目地材１４の場合同様に、ヒレ部１５ｄが垂下部３２及び壁パネルに押しつけられることにより、浴槽３が上下に動くことがあっても、容易に外れることはない。
【００２７】
本実施の形態に係る浴槽目地構造は上記のように構成されており、以下この浴槽目地構造の施工方法について、図４を参照して説明する。
【００２８】
まず、浴槽３に背面目地材１４を取設し、続いて浴槽本体３０外周にロープ４０を回す。作業員は手前（洗い場）側は浴槽のリム上面部３１を持ち、背面（背面目地材１５）側はこのロープ４０を持って浴槽３を設置位置まで運ぶ。背面側の垂下部３２と壁パネル４との隙間は、手を入れられる程大きくないので、背面側のリム上面部３１を手で持って浴槽３を所定の位置に据え付けることはできないが、ロープ４０を用いれば、ロープ４０がこの隙間に挟まれても、浴槽３を略所定の位置に置くことができ、また、その結び目を解いて引っ張れば容易に引き抜くことができ、これによって、浴槽３を所定の位置に置くことができる。
【００２９】
この際、側面目地材１５は未だ取り付けられていないので、側面目地材１５と相対する壁パネルと浴槽３の両側面端部との間には余裕があり、浴槽３を自由に移動させることができ、また、側面目地材１５が壁パネル４を擦過して、これを傷付ける、或いは側面目地材１５が外れることもない。
【００３０】
そして、浴槽３が所定位置に設置された後、側面目地材１５の縦片部１５ｂを垂下部３２と壁パネル４との隙間に嵌挿し、先端の係合部１５ｃが垂下部３２下端に係合されたことを確認する。
【００３１】
この時点では、エプロン１０は未だ取り付けられておらず、浴槽３の洗い場２０側の側面は開口しているので、係合部１５ｃが垂下部３２下端に係合されているか否かは、この開口から容易に目視にて確認することができる。
【００３２】
しかしながら、背面目地材１４先端は、浴槽本体３０の存在により洗い場２０側からは見ることができず、目視で確認することができない。そこで、背面目地材１４を先付け目地とすれば、このような問題は生じない。また、浴槽３の洗い場側には壁パネル４がなく開放されているので、側面側のような据付時の擦過の問題もあり得ない。
【００３３】
このように、先付け目地と後付け目地とをそれが取り付けられる部位の性質により使い分けることにより、それぞれの問題点が解消される。
【００３４】
図５に、背面目地材１４と側面目地材１５とが突き当たる部分（図１に示すＸ部）におけるコーナーピース１６の設置例を示す。浴槽３の短辺側と長辺側との交差部にコーナーピース１６を設置し、コーナーピース１６を背面目地材１４及び側面目地材１５に被せることで、背面目地材１４及び側面目地材１５の長さのばらつきや浴槽３の短辺部及び長辺部の寸法のばらつきを吸収し、隙間ができないように設置することができる。
【００３５】
図６に側面目地材のエプロン１０側端部（図１に示すＹ部）の加工形状の一例を示す。浴槽３短辺部に設置する側面目地材１５の端部を切り欠き変形させ、浴槽３に沿う形状に加工することで、見栄よくおさめることができる。
【００３６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００３７】
例えば、浴槽３と壁パネル４とが直接当接するのではなく、その間にカウンタが設けられる形式のユニットバスにあっては、この目地構造は、カウンタ下前面に立設される腰壁と浴槽３との間にも適用可能である。
【図面の簡単な説明】
【００３８】
【図１】本発明に係る浴槽目地構造の一実施形態を備えるユニットバスの概要を示す斜視図。
【図２】（ａ）は本実施形態に係る背面目地材を示す断面図、（ｂ）は同側面目地材を示す断面図。
【図３】（ａ）は本実施形態に係る背面目地材の取付状況を示す図、（ｂ）は同側面目地材の取付状況を示す図。
【図４】浴槽の据付方法を説明する図。
【図５】コーナーピースの使用例を示す図。
【図６】側面目地材端部の加工形状の一例を示す図。
【符号の説明】
【００３９】
１  ユニットバス
２  防水パン
３  浴槽
４  壁パネル
６  排水ピット
９  バックハンガー
９ａ  凸部
９ｂ  垂下部受け部
１０  エプロン
１３  浴槽目地材
１４  背面目地材
１４ａ  上面部
１４ｂ  縦片部
１４ｃ  挟持部
１４ｄ  ヒレ部
１５  側面目地材
１５ａ  上面部
１５ｂ  縦片部
１５ｃ  係合部
１５ｄ  ヒレ部
１６  コーナーピース
２０  洗い場
２１  浴槽載置部
２２  土手部
２３  壁パネル載置面
３０  浴槽本体
３１  リム上面部
３２  垂下部
４０  ロープ
【図１】
2007125159.tif 000003
【図２】
2007125159.tif 000004
【図３】
2007125159.tif 000005
【図４】
2007125159.tif 000006
【図５】
2007125159.tif 000007
【図６】
2007125159.tif 000008